(57)【要約】【課題】  遊技領域を広くかつ奥行があるように視認させることができ、またデザイン上の斬新性と演出効果を高めることのできる遊技機を提供する。【解決手段】反射部２１には、ＬＥＤ１１からの光を受けて遊技盤２の中央寄りに反射するための反射面２１ａがＬＥＤ１１と遊技盤２との間に位置するように形成されている。反射面２１ａは、遊技盤発光部１０から遊技盤２の盤面２ａ側に向かうほど遊技盤２の外周縁部に近づくように平面状に連続的に傾斜して、前端が発射レール２ｂよりも外周縁側において、遊技盤２の裏面２ｇに接続されている。反射面２１ａはＬＥＤ１１の光軸に対して斜めに傾いて、前端が発射レール２ｂよりも外側（外周縁側）に位置するので、ＬＥＤ１１から発せられた光を遊技盤２の外周縁部から遊技領域２ｃにかけて広範囲に照射することができる。【選択図】  図４
2008301939.tif 000002
【特許請求の範囲】
【請求項１】
透光性材料により板状に形成されるとともに、遊技に関与する遊技機器が配置された遊技領域を前面に有する遊技盤と、
その遊技盤の外周縁部の背面から所定距離離間して配置され、前面側を照射するための発光手段を有する発光部と、
その発光手段からの光を受けて前記遊技盤の中央寄りに反射するための反射面がそれら発光部と遊技盤との間に位置するように、前記遊技盤の背面に配置された反射部とを備え、
前記遊技盤の外周縁部の背面側に配置された発光手段からその遊技盤の前面側に向けて発せられた光が、前記反射部の反射面で前記遊技盤の中央寄りに反射することによって当該遊技盤の外周縁部から前記遊技領域を照射することを特徴とする遊技機。
【請求項２】
前記発光部と反射部との間には、前記発光部から照射される光の少なくとも一部を受けて前記反射部に向かわせるための装飾部が、前記反射部の反射面と対向する位置に配置され、
前記発光手段から発せられた光が、前記装飾部を介して前記反射部に伝搬する請求項１に記載の遊技機。
【請求項３】
前記反射部は、その反射面が前記遊技盤の前面側に向かうほどその遊技盤の外周縁部に近づくように傾斜して、前記発光部と前記遊技盤の背面とを接続している請求項１又は２に記載の遊技機。
【請求項４】
前記遊技盤は、上下方向に延びる左辺及び右辺並びに左右方向に延びる上辺及び下辺を有する矩形状に形成されるとともに、前記遊技領域に多数の障害釘が植設されたパチンコ機用遊技盤で構成され、
前記反射部は前記パチンコ機用遊技盤の少なくとも左辺及び右辺に配置されている請求項１ないし３のいずれか１項に記載の遊技機。
【発明の詳細な説明】
【技術分野】
【０００１】
本発明は、パチンコ機等の遊技機に関する。
【背景技術】
【０００２】
例えば近年のパチンコ機において、遊技盤の前面側（遊技者側）に形成される遊技領域では、抽選結果の表示やリーチアクション等の種々の演出表示を行なうために可変表示装置（例えば液晶表示部）が面積拡大したり、それらの演出表示を効果的に行なうためにセンター役物や遊技機用サイドランプが大型化したりしている。そのため、遊技領域を流下する遊技球の流路が実質的に狭められ、その動きが制約され単調になって、遊技機本来の興趣が失われる傾向にある。さらにこれらの場合、遊技球の流路は、遊技盤（遊技領域）の中でも比較的暗く遊技者にとって視認しにくい外周縁部に位置することになるので、遊技者の興趣はますます減退するおそれがある。
【０００３】
そこで、遊技盤（遊技領域）の全部又は一部を前後二重構造とし、前方側（遊技者側）の遊技盤を透明に構成することによって、遊技者が後方側（裏側）の遊技盤上の遊技球を視認・観察できるようにし、視覚的な興趣を高める工夫が提案されている（特許文献１，２参照）。
【０００４】
【特許文献１】実公昭５１−２１８１７号公報
【特許文献２】特開２００１−３３４０２７号公報
【０００５】
これらの特許文献によれば、前方側の透明遊技盤を通して後方側遊技盤上の遊技球を観察できるときには、一時的に遊技者の興趣を高めることができる。しかし、遊技盤の外周縁部は比較的暗く遊技者にとって視認しにくいため、遊技領域が狭くかつ奥行間に乏しく感じられる状況に変わりはない。
【発明の開示】
【発明が解決しようとする課題】
【０００６】
本発明の課題は、遊技領域を広くかつ奥行があるように視認させることができ、またデザイン上の斬新性と演出効果を高めることのできる遊技機を提供することにある。
【課題を解決するための手段及び発明の効果】
【０００７】
上記課題を解決するために、本発明の遊技機は、
透光性材料（例えば透明高分子材料）により板状に形成されるとともに、遊技に関与する遊技機器が配置された遊技領域を前面に有する遊技盤と、
その遊技盤の外周縁部の背面から所定距離離間して配置され、前面側を照射するための発光手段を有する発光部と、
その発光手段からの光を受けて前記遊技盤の中央寄りに反射するための反射面がそれら発光部と遊技盤との間に位置するように、前記遊技盤の背面に配置された反射部とを備え、
前記遊技盤の外周縁部の背面側に配置された発光手段からその遊技盤の前面側に向けて発せられた光が、前記反射部の反射面で前記遊技盤の中央寄りに反射することによって当該遊技盤の外周縁部から前記遊技領域を照射することを特徴とする。
【０００８】
このように、遊技盤の外周縁部や遊技領域に対して、遊技盤の背面側に配置された発光手段（例えばＬＥＤ）から発せられ、反射部の反射面で反射された光を照射することによって、比較的暗く遊技者にとって視認しにくい遊技盤の外周縁部を明るく照らし出して、遊技領域を広くかつ奥行があるように視認させることができる。また、発光手段から発せられた光を反射面で中央寄りに反射することによって、遊技機器（例えば、パチンコ機の遊技盤に稙設された多数の障害釘）を明るく照らし出すことができ、デザイン上の斬新性と演出効果を高めることができる。
【０００９】
この場合、発光部は、遊技盤の前面側を照射するためのＬＥＤ（発光手段）と、ＬＥＤが実装された発光基板と、ＬＥＤから発せられた光を拡散するためにＬＥＤの前面側に配置された拡散板とを含むことができる。このように、発光部に拡散板を設けることによって遊技盤の外周縁部を広範囲に照射することができる。
【００１０】
なお、本発明の遊技機には、（１）パチンコ機等の弾球遊技機、（２）スロットマシンやパチスロ機等の回胴式遊技機、（３）ポーカーゲーム機等の各種ゲーム機、等が含まれる。
【００１１】
また、本明細書において、「遊技機器」とは、遊技領域で行われる遊技に直接的に関与する装置・部材等をいう。例えば、パチンコ機の場合、「遊技機器」には、（１）可変入賞装置、入賞口等の入賞機器；（２）スロープ、ステージ、クルーン、ワープ樋等の遊技球遊動機器；（３）風車、通過ゲート、発射レール、障害釘等の遊技球関連機器等が含まれる。
【００１２】
上記発光手段は、遊技盤上の遊技領域における遊技状態（遊技態様）の変化（例えば、当否抽選で大当たり発生）に応じて発光態様が変化してもよい。これらの「発光態様の変化」には、発光色（具体的には色相・明度・彩度といった色調）を変化させたり、発光状況（例えば点灯状態・点滅状態・消灯状態）を変化させたりすることが含まれる。
【００１３】
そして、このような発光手段には、発光素子（単色発光ＬＥＤ、フルカラー発光ＬＥＤ等）やランプ（白熱灯、ハロゲンランプ等）が用いられ、単体表示方式、マトリクス表示等のドット表示方式、７セグメント表示等のセグメント表示方式のいずれでも使用できる。
【００１４】
このような遊技機では、発光部と反射部との間には、発光部から照射される光の少なくとも一部を受けて反射部に向かわせるための装飾部が、反射部の反射面と対向する位置に配置され、
発光手段から発せられた光が、装飾部を介して反射部に伝搬することが望ましい。
【００１５】
このように、単に遊技盤の外周縁部や遊技領域に発光手段から発せられた光を照射するだけではなく、例えば装飾部（例えば屈折レンズ）に描かれた図柄・模様等を遊技盤の外周縁部や遊技領域に映し出すことによって、さらに興趣を向上させることができる。
【００１６】
この場合、装飾部は、板状の透光性材料（例えば透明高分子材料）により、少なくとも部分的に反射部及び遊技盤に向かって凸となる形状（例えばドーム形状）に形成されるとともに、その前面、背面及び厚み方向中間部のうち少なくともいずれかに施された装飾要素を含むことができる。このように、装飾部が装飾要素を含む透光性材料で形成されることによって、装飾部を発光部と反射部との間の狭いスペースに組み込むことができ、図柄・模様等を遊技盤の外周縁部や遊技領域に容易に映し出すことができる。
【００１７】
なお、「装飾要素」には、文字（数字・アルファベットを含む）、図形、記号、模様等の装飾図柄、若しくはこれらの結合、又はこれらと色彩との結合が含まれる。また、「凸となる形状」には、人形模型、動物模型等の有形の立体的形状を含む。したがって、これらの装飾要素を含む装飾部は、所定の軸線周りで回転したり、所定ルートに沿って移動したりしてもよい。そして、発光手段から発せられた光は、装飾部で透過、屈折及び反射のうち少なくともいずれかを行って反射部に向かうことになる。
【００１８】
次に、反射部は、その反射面が遊技盤の前面側に向かうほどその遊技盤の外周縁部に近づくように傾斜して、発光部と遊技盤の背面とを接続することができる。例えば、発光手段の光軸に対して反射面を斜めに傾けて配置することによって、発光手段から発せられた光を遊技盤の外周縁部から遊技領域にかけて広範囲に照射することができる。
【００１９】
具体的には、パチンコ機の場合、反射部の前端を、遊技盤の遊技領域に配置された発射レールよりもさらに外周縁側において、遊技盤の背面に接続することによって、影を生じやすい発射レールや障害釘の基端部分をも明るく照らし出すことができる。なお、「反射面の傾斜」には、連続的又は段階的に傾斜する場合、平面状又は曲面状に傾斜する場合のいずれもが含まれる。これらの反射面は、メッキ、蒸着、鏡面仕上（研磨）等の表面加工や、反射シールの表面貼付等によって形成される。
【００２０】
そして、遊技盤を、上下方向に延びる左辺及び右辺並びに左右方向に延びる上辺及び下辺を有する矩形状に形成するとともに、遊技領域に多数の障害釘が植設されたパチンコ機用遊技盤で構成するとき、
反射部をパチンコ機用遊技盤の少なくとも左辺及び右辺に配置することが望ましい。
【００２１】
このように、センター役物等の設置によって遊技領域自体が狭くなる傾向が強いパチンコ機用遊技盤では、左辺部分や右辺部分に反射部を配置することによって、遊技者に遊技領域を広く視認させ、障害釘等を明るく照らし出すことができる。
【００２２】
さらに、反射部を上辺を含む３辺に配置すれば、遊技者に遊技領域を一層広く視認させることができる。この場合、装飾部も反射部と平行状に３辺に配置すれば、一層興趣を高めることができる。
【００２３】
なお、上記透光性材料をメタクリル樹脂（ＰＭＭＡ；アクリル）、ポリカーボネート（ＰＣ）等の衝撃強さに優れた高分子材料で構成する場合には、遊技盤や装飾部の耐久性を高める（長寿命化を図る）ことができる。
【発明を実施するための最良の形態】
【００２４】
（実施例）
以下、本発明の実施の形態を図面を参照しつつ説明する。図１は本発明に係る遊技機の一例としてのパチンコ機を示す正面図である。図１に示すように、パチンコ機１（遊技機）の遊技盤２の盤面２ａ（前面）には、ほぼ左半周が内外２本の発射レール２ｂによって区画され、全体としてほぼ円形の遊技領域２ｃが形成されている。遊技領域２ｃの中央には液晶表示部３を含むセンター役物４が搭載されている。センター役物４（液晶表示部３）の下方（遊技領域２ｃの中央下部）には、一対の回動翼片５ａ，５ａを有する電動チューリップ（通称電チュー）形の始動入賞口５が配置され、始動入賞口５への遊技球の入賞に基づいて当否抽選が実行される。さらに、始動入賞口５の下方には大入賞口６が配置され、大入賞口６は、当否抽選の結果が大当たりのときに大量の賞球を獲得できるように開放される。
【００２５】
なお、大入賞口６の下方（遊技領域２ｃの中央下端部）にはアウト口７が配置され、遊技盤２の右下方には発射レール２ｂを通り遊技領域２ｃへ遊技球を発射するための発射ハンドル８が配置されている。また、遊技領域２ｃには、多数の障害釘２ｄが稙設され、風車２ｅや通過ゲート２ｆも配置されている。
【００２６】
次に、図２はパチンコ機の主要部の分解状態を示す斜視図、図３は図２の部分組立状態を示す斜視図、図４は図３のＡ−Ａ断面図である。図２に示すように、パチンコ機１（図１参照）の主要構造として、上記した遊技盤２の裏面２ｇ（背面）側には、遊技盤２を照射するための遊技盤発光部１０（発光部）と、遊技盤発光部１０からの光を反射する反射部２１と上記した液晶表示部３とを有する裏カバー部材２０と、遊技盤発光部１０と反射部２１との間において反射部２１と対向状に配置される屈折レンズ３０（装飾部）と、裏カバー部材２０に支持される役物発光部４０とが各々配設されている。
【００２７】
図３に示すように、遊技盤２は透光性高分子材料（例えばアクリル（メタクリル樹脂；ＰＭＭＡ）材料）により矩形（正方形又は長方形）板状に形成されている。そして、遊技盤２の盤面２ａに形成された遊技領域２ｃには、上記したセンター役物４、始動入賞口５、大入賞口６、発射レール２ｂ、障害釘２ｄ、風車２ｅ、通過ゲート２ｆ等が配置され、これらはそれぞれ遊技機器（すなわち、遊技領域２ｃで行われる遊技に直接的に関与する装置・部材等）を構成している。また、中央やや上部には矩形状の貫通孔２ｈが形成され、貫通孔２ｈの盤面２ａ側の周囲にはセンター役物４が固定配置される一方、貫通孔２ｈの裏面２ｇ側には裏カバー部材２０に固定された液晶表示部３が配置されている（図４参照）。
【００２８】
図２に戻り、遊技盤発光部１０は、遊技盤２の盤面２ａ側を照射するための複数のＬＥＤ１１（発光手段）と、複数のＬＥＤ１１が実装された発光基板１２と、ＬＥＤ１１から発せられた光を拡散するためにＬＥＤ１１の盤面２ａ側に配置された拡散板１３とを有する。図２に示す実施例では、発光基板１２と拡散板１３とは、遊技盤２の貫通孔２ｈ（及び液晶表示部３）の周囲を取り囲むようにそれぞれ５枚に分割配置されている。このように、遊技盤発光部１０に複数のＬＥＤ１１と複数の拡散板１３を設けることによって、遊技盤２の外周縁部を広範囲に照射することができる（図４参照）。
【００２９】
図４に示すように、反射部２１は、矩形状の裏カバー部材２０の左辺、右辺、上辺の各辺に沿って前方側に一体形成され（図１参照）、遊技盤２の裏面２ｇに固定配置されている。反射部２１には、ＬＥＤ１１からの光を受けて遊技盤２の中央寄りに反射するために、反射シールを表面に貼り付けた反射面２１ａがＬＥＤ１１と遊技盤２との間に位置するように構成されている。具体的には、反射面２１ａは、遊技盤発光部１０から遊技盤２の盤面２ａ側に向かうほど遊技盤２の外周縁部に近づくように平面状に連続的に傾斜して、前端が発射レール２ｂよりも外周縁側において、遊技盤２の裏面２ｇに接続されている。このように、反射面２１ａはＬＥＤ１１の光軸に対して斜めに傾いて、前端が発射レール２ｂよりも外側（外周縁側）に位置するので、ＬＥＤ１１から発せられた光を遊技盤２の外周縁部から遊技領域２ｃにかけて広範囲に照射することができ、影を生じやすい発射レール２ｂや障害釘２ｄの基端部分も明るく照らし出すことができる。
【００３０】
屈折レンズ３０は、遊技盤発光部１０から照射される光の少なくとも一部を受けて反射部２１に向かわせるために、反射部２１の反射面２１ａと対向する位置に配置されている。この屈折レンズ３０は、擬似円形板状の透光性高分子材料（例えばポリカーボネート（ＰＣ））により、全体が反射部２１及び遊技盤２に向かって凸となる中空ドーム型の膨出形状に形成されるとともに、中央部には遊技盤２の貫通孔２ｈに対応して窓孔３１が貫通形成されている（図２，図３参照）。屈折レンズ３０も遊技盤発光部１０と同様に遊技盤２の貫通孔２ｈ（及び液晶表示部３）の周囲を取り囲むように、遊技盤発光部１０（拡散板１３）と裏カバー部材２０とに固定配置されている。そして、屈折レンズ３０の前面又は背面には、文字（数字・アルファベットを含む）、図形、記号、模様と色彩とが結合された装飾図柄（装飾要素）が描かれている。
【００３１】
そこで、ＬＥＤ１１から発せられた光は、屈折レンズ３０で屈折して左辺、右辺、上辺の３辺の反射部２１（図１参照）に沿って広範囲に照射される。このとき、遊技盤２の外周縁部や遊技領域２ｃに対して、単にＬＥＤ１１から発せられた光を照射するだけではなく、屈折レンズ３０に描かれた装飾図柄を映し出すことによって、興趣を向上させることができる。また、屈折レンズ３０が装飾図柄を含む透光性高分子材料で形成されることによって、屈折レンズ３０を遊技盤発光部１０と反射部２１との間の狭いスペースに組み込むことができ、図柄・模様等を遊技盤２の外周縁部や遊技領域２ｃに容易に映し出すことができる。
【００３２】
再び図２に戻り、役物発光部４０は、センター役物４を照射するための複数の役物側ＬＥＤ４１と、複数の役物側ＬＥＤ４１がそれぞれ実装された複数の役物側発光基板４２と、役物側ＬＥＤ４１から発せられた光を拡散するために役物側ＬＥＤ４１の盤面２ａ側に配置された複数の役物側拡散板４３とを有する。図２に示す実施例では、左右一対の役物側発光基板４２と役物側拡散板４３とが遊技盤２の貫通孔２ｈの後方（例えば、屈折レンズ３０の窓孔３１内）で、裏カバー部材２０に固定配置されている（図３，図４参照）。
【００３３】
図４に示すように、遊技盤２の裏面２ｇ側に配置されたＬＥＤ１１から発せられ、屈折レンズ３０で屈折され、反射部２１の反射面２１ａで反射された光が、遊技盤２の外周縁部や遊技領域２ｃに対して照射される。勿論ＬＥＤ１１から発せられた光がレンズ３０や遊技盤２をそのまま直進して、遊技領域２ｃを照射する場合もある。これらにより、遊技者にとって視認しにくい遊技盤２の外周縁部を明るく照らし出して、遊技領域２ｃを広くかつ奥行があるように視認させることができる。また、センター役物４等の設置によって遊技領域２ｃ自体が狭くなる傾向が強い遊技盤２の左辺部分や右辺部分に反射部２１を配置し、ＬＥＤ１１から発せられた光を反射面２１ａで中央寄りに反射する。これによって、遊技機器の中でも特に暗くなりがちな発射レール２ｂや障害釘２ｄの基端部を明るく照らし出すことができ、デザイン上の斬新性と演出効果を高めることができる。
【００３４】
なお、遊技盤発光部１０のＬＥＤ１１は、遊技盤２上の遊技領域２ｃにおける遊技状態（遊技態様）の変化に応じて、発光態様が変化してもよい。例えば、発射ハンドル８を操作しない待機状態と、発射ハンドル８を操作して遊技を行う通常状態と、始動入賞口５への遊技球の入賞に基づく当否抽選の結果が大当たりの大当たり状態とで、発光色（色相・明度・彩度）や発光形態（点灯・点滅・消灯）を変化させることができる。また、役物発光部４０の役物側ＬＥＤ４１の発光態様の変化に応じて、遊技盤発光部１０のＬＥＤ１１の発光態様を変化させてもよい。
【００３５】
さらに、屈折レンズ３０は発光基板１２や拡散板１３と同様に複数に分割して配置してもよい。その場合、屈折レンズ３０を部分的に膨出形成することも可能となる。
【図面の簡単な説明】
【００３６】
【図１】本発明に係る遊技機の一例としてのパチンコ機を示す正面図。
【図２】図１の主要部の分解状態を示す斜視図。
【図３】図２の部分組立状態を示す斜視図。
【図４】図３の組立を完了した状態でのＡ−Ａ断面図。
【符号の説明】
【００３７】
１          パチンコ機（遊技機）
２          遊技盤
２ａ        盤面（前面）
２ｂ        発射レール（遊技機器）
２ｃ        遊技領域
２ｄ        障害釘（遊技機器）
２ｅ        風車（遊技機器）
２ｆ        通過ゲート（遊技機器）
２ｇ        裏面（背面）
３          液晶表示部
４          センター役物（遊技機器）
５          始動入賞口（遊技機器）
６          大入賞口（遊技機器）
１０        遊技盤発光部（発光部）
１１        ＬＥＤ（発光手段）
１２        発光基板
１３        拡散板
２０        裏カバー部材
２１        反射部
２１ａ      反射面
３０        屈折レンズ（装飾部）
４０        役物発光部
【図１】
2008301939.tif 000003
【図２】
2008301939.tif 000004
【図３】
2008301939.tif 000005
【図４】
2008301939.tif 000006